(57)【要約】      （修正有）【課題】枕の使用時に、枕本体が内蔵する物体により、当接する首部、頭部の重量の反力により指圧作用を発生させると共に、放熱による冷却作用を有し、肩、首部の疲労痛の除去、頭痛の解消等の効果が期待できる。【解決手段】布製の枕本体１の中に、多数の気孔を有する直径５〜２５ｍｍの略球状の吸水性人工軽量骨材粒２を収納させた事を特徴とし、人工軽量骨材粒２は大粒２ａと小粒２ｂに区分し、内部を仕切布４で上下２層に区画した枕本体１の２層に分別して収納する事も、又、大粒収納袋と小粒収納袋に分別して入れ、枕本体１の内部に重ねて収納する事もでき、さらに人工軽量骨材粒に大豆より小さい溶岩粒３を混ぜて枕本体１に収納する事もできる。【選択図】図１
0003132286.tif 000002
【実用新案登録請求の範囲】
【請求項１】
布製の枕本体１の中に、多数の気孔を有する直径５〜２５ｍｍの略球状の吸水性人工軽量骨材粒２を収納した事を特徴する人工軽量骨材粒を内蔵する枕。
【請求項２】
布製の枕本体１の内部を上下２層に区画し、人工軽量骨材粒２は大小に２区分し枕本体１内の２層に分別して収納した事を特徴とする請求項１記載の人工軽量骨材粒を内蔵する枕。
【請求項３】
人工軽量骨材粒２を大粒人工軽量骨材粒２ａと小粒人工軽量骨材２ｂに分別し、分納した大粒収納袋５ａと小粒収納袋５ｂを、枕本体１の内部に重ねて収納した事を特徴とする請求項１記載の人工軽量骨材粒を内蔵する枕。
【請求項４】
人工軽量骨材粒２に豆より小さい溶岩粒３を混ぜ、枕本体１の中に収納した事を特徴とする請求項１、請求項２、請求項３に記載の人口軽量骨材粒を内蔵する枕。
【考案の詳細な説明】
【技術分野】
【０００１】  本考案は、布製の枕の内部に、人工軽量骨材粒および溶岩粒を収納した枕に関するものである。
【背景技術】
【０００２】  枕は、昔より眠る際に使用する物であり、その歴史が極めて永いだけに、形状、材質及び構造、又は内部に収納する内蔵物の相違などにより、その種類は極めて多い。その中で、本考案が要件とする枕の内蔵物においては、古来から蕎殻が多用され、籾殻、穀物類、茶葉なども使用されているが、近年は主として、プラスチック材で形成した固形の小片や小粒などの成形品、ポリウレタン材や合成ゴム材で構成した感触が良く弾力性に富む板状、小片状のスポンジ体などが使用されている。
【考案の開示】
【考案が解決しょうとする課題】
【０００３】  枕本体に収納されている従来の内蔵物は、蕎殻、籾殻、穀物類、茶葉の他に、プラスチック材の固形の成形小片や小粒、及びポリウレタン材や合成ゴム材の弾力性を有する板状又は小片状のスポンジ体であった。これら従来の内蔵物は、主として首部、頭部の接触感覚に重点が置かれ、枕としての効用を有するが、必ずしも放熱、冷却効果を有する物ではなく、指圧効果も差程期待されていたものでは無かった。特にスポンジ体は接圧感触は良好であっても蓄熱作用があるので後頭部を温めるという好ましくない現象が発生し、頭部位置が不安定となる欠点もある。
【０００４】  本考案の課題は、内蔵する多孔質の人工軽量骨材粒とその中に混合する溶岩粒により、当接する首部、頭部の重量の反力による指圧作用と、放熱作用による頭部の冷却作用が働くので、肩部、首部の疲労回復や安眠の効果、頭痛の解消等の効果が期待でき、又、イオンを発生すると言われる溶岩粒のマイナス・イオン効果も期待する事ができる。
【課題を解決するための手段】
【０００５】  本考案は、課題を解決するために、布製の枕本体の中に、多数の気孔を有する直径５〜２５ｍｍの略球状の吸水性人工軽量骨材粒を収納して内蔵させた事を特徴とし、人工軽量骨材粒は大小に２区分し、上下２層に区画した枕本体の内部に２層に分別収納したり、又、大粒収納袋と小粒収納袋に分別して入れ、枕本体の内部に重ねて収納する事もできる枕である。又、人工軽量骨材粒に大豆より小さい大きさの溶岩粒を混ぜて収納する事もできる枕である。
【考案の効果】
【０００６】  本考案は、直接的には、荷重による人工軽量骨材粒と溶岩粒の移動ににより、接触する肩、首、頭部位置が安定化し、荷重負荷により各粒に発生する反力が作用する指圧効果と、人工軽量骨材粒と溶岩粒の保有する空気孔の放熱及び吸湿作用による首、頭部の冷却効果をゆうする。又、間接的には、肩、首部の疲労痛の除去、頭痛の解消、トイレ使用回数の減少などの作用があり、よって、熟睡して安眠させる保健効果が期待できる。又、産業廃棄物を再利用した市販の人工軽量骨材粒を使用する事により、資源の再利用化、生産価格の低廉化ができる経済効果、及び環境保全に寄与する効果が期待できる。
【考案を実施するための最良の形態】
【０００７】  本考案は、布製の枕本体の内部に、多数の空気孔を有する直径５〜２５ｍｍの粒状の吸水性人工軽量骨材粒と、溶岩粒を収納して内蔵させた枕であり、吸水性人工軽量骨材粒は鉱山や建設工事の廃土石、製紙の廃スラッジなどを原料として高温焼成した再生物を利用して製造した、園芸用やコンクリート工事用の市販のものを粒度分別して利用する事が可能である。【０００８】  使用する人工軽量骨材粒の大きさは、使用者の健康状態や使用目的に対応させて直径５〜２５ｍｍのものを使用するが、略球状の形が良く、大きさの異なる粒体を混合せて収納する事も、一定の大きさのものを選択して使用してもよい。、又、大きさにより分別し、上下２層に区分した枕本体の内部に区別して収納する事もでき、あるいは、２分別した後、大粒収納袋と小粒収納袋に分納して入れ、枕本体の内部に重ねて収納する事もできる。又、溶岩粒の大きさは大豆より小さい粒を選択し、使用する人工軽量骨材粒の大きさに対応させて使用する。
【実施例】
【０００９】  図１は、首部、後頭部の外形に合わせた形状の枕本体１を使用し、枕本体１の内部に多孔質で吸水性を有する人工軽量骨材粒２と富士山の溶岩粒３を混合して収納し内蔵させた実施例である。この人工軽量骨材粒２は直径５〜２５ｍｍの略球状のものが良い。溶岩粒３を混ぜる場合は、大豆より小さい大きさで、球形に近い程良い。使用に際しては、人工軽量骨材粒２は大小の異なる大きさの粒体を混合し、場合によっては更に溶岩粒３を混合する。【００１０】  枕本体１の上に頭部、首部を載せると、その重みで人工軽量骨材粒２は頭、首部の形状に合わせて包むように側面側に移動して頭、首部の位置を安定させ、人工軽量骨材粒２、溶岩粒３にかかる荷重に対応する反力が指圧作用を起こし、枕本体１の布を介して頭、首部に対して指圧効果が発生する。同時に、人工軽量骨材粒２及び溶岩粒３が保有する多数の気孔による放熱作用により、頭部冷却効果が発生する。【００１１】  又、イオン発生現象があると言われる溶岩粒３の特性により、マイナスイオン効果も期待できる。従って、夜間の睡眠時だけでなく、昼間の休息時の枕としても実効を充分期待する事ができる。【００１２】  図２は本考案の他の実施例である。枕本体１の内部を仕切シート４により上下２層に区分し、直径５〜２５ｍｍの吸水性、多孔性を有する人工軽量骨材粒２は、予め大粒人工軽量骨材粒２ａと小粒人工軽量骨材粒２ｂに２分別して、上下２層に分けて収納した実施例である。この実施例は、使用者の要望する指圧効果に合わせて、大粒側と小粒側を選択して使用できる事が特徴であり、枕の効用を拡大できるものである。【００１３】  図３は本考案の他の実施例である。収納する人工軽量骨材粒２は、人工軽量骨材粒２を大粒人工軽量骨材粒２ａと小粒人工軽量骨材粒２ｂに分別して、各別に大粒収納袋５ａと小粒収納袋５ｂに入れ、枕本体１の内部に重ねて収納した実施例である。この実施例は予め大粒収納袋５ａと小粒収納袋５ｂに分別収納するので、袋状にした状態を中間製品として取扱いできるので生産効率向上には有利となる。【００１４】  図２及び図３に示す実施例においても、必要に応じて人工軽量骨材粒２に溶岩粒３を混合する。
【図面の簡単な説明】
【００１５】
【図１】  本考案において、人工軽量骨材粒の大小粒と溶岩粒を混合して収納した実施例を示し、１部切開状態の外視図である。
【図２】  本考案において、枕本体を２層に区分し、人工軽量骨材粒は大小粒に２分別して２層に分けて収納した実施例を示し、切断状態の外視図である。
【図３】  本考案において、人工軽量骨材粒を大小に２分別し、枕本体の内部に重ねて収納した実施例の切断状態外視図である。
【符号の説明】
【００１６】  １．  枕本体
２．  人工軽量骨材粒
２ａ．大粒人工軽量骨材粒
２ｂ．小粒人工軽量骨材粒
３．  溶岩粒
４．  仕切シート
５ａ．大粒収納袋
５ｂ．小粒収納袋
【図１】
0003132286.tif 000003
【図２】
0003132286.tif 000004
【図３】
0003132286.tif 000005